(57)【要約】【課題】  タバコの煙の速やかで確実な排煙ができれば、ホテル・旅館のロビー、飲食店、遊技場等人がくつろぐ場所での喫煙を楽しむことが出来、受動喫煙による健康被害を抑えることが出来る。排煙装置の技術上の問題を解決することで、喫煙の自由度は高まり、経済効果も期待できる。【解決手段】  タバコの煙を喫煙者の上部に設けた、排気用フードの端から、送風機で加圧された空気を放出することによりエアーカーテンを形成し、タバコの煙をエアーカーテンの内側に囲った状態で上昇させ、フード中央に設けた排気管を介し、送風機により戸外へ排気する。【選択図】図２
2019027769.tif 000002
【特許請求の範囲】
【請求項１】
喫煙者の頭上に設置した煙収集用フードの外周に連続的に加圧空気の吹き出し口を設け、吹き出し口から加圧空気を下方向に噴き出して、喫煙者を囲む形のエアーカーテンを形成し、タバコの煙の拡散を防止し、上昇するタバコの煙をフードの中央に集め、該装置の中央に設置した排気管を介して、排気用送風機で戸外へ排出することを特徴とするタバコ用の排煙装置。
【発明の詳細な説明】
【技術分野】
【０００１】  室内におけるタバコの排煙に関する技術
【背景技術】
【０００２】  喫煙による健康被害の内、副流煙、呼出煙による喫煙を希望しない者のいわゆる受動喫煙による被害が多く発生している。【０００３】  我が国でタバコの受動喫煙が原因と思われる死者は年間約１５，０００人で交通事故死者約４，０００人を大きく上回っており、大きな社会問題となっている。【０００４】タバコの煙は、ガス状の物質の中に直径０．４マイクロメートル前後の無数の微粒子が浮遊している事から、ガス成分と粒子成分に分けることが出来、その中の化学物質は分かっているだけで４，０００種類以上に及ぶと言われている。【０００５】  ガス成分には、一酸化炭素、二酸化炭素、窒素酸化物、アンモニア、ニトロソアミン、シアン化水素、硫黄化合物、炭化水素、アルデヒド類、ケトン類などが含まれている。【０００６】  粒子成分は水、ニコチン及びタールからなり、タール中には発がん性のある種々の多環状芳香族炭化水素のほか、フェノール、ベンゼン、ナフタリン、金属イオン等が含まれている。【０００７】  煙の粒子は直径が０．４マイクロメートル前後の為、落下速度が極めて遅く、空中に留まる時間が長く在室者が有害物質の吸引を長時間強いられる状況となっている。
【発明の開示】
【発明が解決しようとする課題】
【０００８】  室内における喫煙は、喫煙者の呼出煙と副流煙の拡散による受動喫煙が健康被害の原因となり社会的問題となっている。【０００９】  受動喫煙の原因である副流煙、呼出煙を拡散する前に捕獲・排気すれば非喫煙者の健康被害は無くなることは容易に想像できる。【００１０】  喫煙を希望するものにとっては、社会的に不自由を強いられ、また社会の悪者として評価されようとしている。【００１１】  タバコによる健康被害を最小限に抑え、喫煙者と非喫煙者が共に共存し、お互いを尊重し合って、穏やかで自由な社会環境を作ることが望まれる。【００１２】  ホテル、旅館のロビー、飲食店、遊技場等人がくつろぐ場所での喫煙が望まれており、技術上の問題が解決できれば、喫煙の自由度は高まり、経済効果も期待できる。
又、家庭内の喫煙も自由にできるようになる。【００１３】  拡散した煙は広範囲に広がり、排気するには大量の空気を動かさなければならず、大きな送風機と大きなエネルギーを必要とする。【００１４】  大量の空気を動かすと室内の冷房・暖房ほ負荷が大きくなり、更に大きなエネルギーの損失となる。【００１５】  タバコの灰皿に置いた副流煙の拡散を防止し、喫煙者が呼出煙ノズルに吹き掛ける装置は発明されており、受動喫煙による被害の減少に期待が持たれる。
特願２０１７−１１４７３２【００１６】  しかし、タバコに火を着ける時やたばこを灰皿に置くまでに発生する煙に対しては回収・排気が出来ず、完全排出する装置の開発が望まれていた。
【課題を解決するための手段】
【００１７】  以上の目的を達成するためには、タバコの煙を全排気する装置を開発し設置する事により解決する。【００１８】  タバコの煙を喫煙者上部に設けたフード周囲の端部から加圧空気を放出し、喫煙者を囲む形のエアーカーテンを形成する。【００１９】  灰皿に置いた副流煙、喫煙者から吐き出した呼出煙をエアーカーテンの内側に囲い込む形となり、エアーカーテンの外側に拡散しない状態となる。【００２０】  フードの中央に排気口を設けてあり、管を介して送風機によりエアーカーテン内側の空気を戸外へ排出する構造となっており、内側は負圧の状態になる。【００２１】  エアーカーテンを形成する空気は、フード外枠のノズルから吹き出し、圧力低下位置に達すると、タバコの煙と共に上昇し、内側中央へ向かう。内側は負圧になっており、エアーカーテンの気流は装置の外枠から中央へと流れる。【００２２】  フードは中央部が高い構造としており、中央付近に煙が集まる。【００２３】  フードの中央には煙を排気する排気口を設けてあり、管を介して排気ファンにより戸外へ排出する。
【発明の効果】
【００２４】  本発明により、タバコの煙を拡散することなく速やかに戸外へ排出する事ができる。【００２５】  排煙装置は煙を囲む柵が空気の為、視界を遮るものが無く開放的である。【００２６】  本発明により、タバコの煙を拡散すること無く、戸外へ排出出来るもので、受動喫煙が無くなり、ホテル、旅館のロビー、飲食店、遊技場等人がくつろぐ場所での喫煙が可能となり、喫煙者と非喫煙者の共存と、相互理解を深め自由を損なうことのない社会生活が期待される。【００２７】  タバコの煙を拡散しない構造により、小資源、小エネルギーで確実なタバコの煙の処理が出来る事により、飲食店等の施設管理者の負担が軽減される。【００２８】  喫煙を取り巻く環境の改善が推進されることにより、タバコ関連産業の社会的評価が向上し、経済的に有益である。
【発明を実施する為の最良の形態】
【実施例】
【００２９】  以下、本発明の実施の形態を図１から図３に基づいて説明する。【００３０】  図１において、▲１▼はタバコ排煙用フード、▲２▼は加圧空気用管、▲３▼フード内の加圧空気用管、▲４▼はエアーカーテン用吹き出しノズルで、▲６▼の加圧用送風機より送られた空気は▲４▼のノズルより吹き出し、降下する。吹き出した空気はエアーカーテンとなり、フード外周を枠とする空気の囲いを作る。噴き出した加圧空気はやがて圧力が低下し、左右に広がり、エアーカーテン内側の空気とタバコの煙は共に上昇し、▲１▼のフードに向かい中央に集められて▲５▼の排気用管を介し▲７▼の排気用送風機により戸外へ排出される。
【図面の簡単な説明】
【００３１】
【図１】本発明の構造と、空気の流れを説明する図である。
【図２】灰皿に置いた副流煙と喫煙者による呼出煙が本発明の排煙装置により排気する図である。
【図３】本発明のエアーカーテン式タバコ煙排出装置を連結した図である。
【符号の説明】▲１▼  タバコ煙排出用フード
▲２▼  加圧空気用管
▲３▼  フード内の加圧空気用管
▲４▼  エアーカーテン用、吹き出しノズル
▲５▼  排気用管
▲６▼  加圧用送風機
▲７▼  排気用送風機
【図１】
2019027769.tif 000003
【図２】
2019027769.tif 000004
【図３】
2019027769.tif 000005